(57)【要約】【課題】より利便性の高いリモコンシステムを提供する。【解決手段】スタンバイ状態において停止するメインマイコン１５と、スタンバイ状態において起動するサブマイコン１６と、を備え、メインマイコン１５が停止する際に、設定情報及び／又は関連情報をサブマイコン１６に送信し、サブマイコン１６が、設定情報及び／又は関連情報を所定のタイミングでリモコン２に送信し、リモコン２において、ユーザが、サブマイコン１６から受信した設定情報を変更及び／又は関連情報に基づいて設定情報を作成し、リモコン２が、変更及び／又は作成された設定情報をサブマイコン１６に送信し、サブマイコン１６が、メインマイコン１５の起動時に、リモコン２から受信した設定情報をメインマイコン１５に送信し、メインマイコン１５が、サブマイコン１６から受信した設定情報に基づいて設定情報を更新するように構成した。【選択図】図１
2008167007.tif 000002
【特許請求の範囲】
【請求項１】
テレビジョン放送の番組データを記録するテレビジョン放送記録装置と、前記テレビジョン放送記録装置を遠隔制御するリモコンと、を備えるリモコンシステムにおいて、
前記テレビジョン放送記録装置は、
電源がＯＮ状態で起動するとともにスタンバイ状態において停止する主制御部と、
電源がＯＮ状態及びスタンバイ状態において起動する副制御部と、
を備え、
前記主制御部は、
当該主制御部を制御するための、番組に関する予約情報を含む所定の設定情報、及び／又は、設定情報に関連する情報であってＥＰＧ情報を含む関連情報を記憶する第１記憶手段と、
当該主制御部が停止する際に、前記第１記憶手段に記憶されている設定情報及び／又は関連情報を前記副制御部に送信する第１送信手段と、
を備え、
前記副制御部は、
前記主制御部から送信された設定情報及び／又は関連情報を記憶する第２記憶手段と、
前記第２記憶手段に記憶された設定情報及び／又は関連情報を所定のタイミングで前記リモコンに送信する第２送信手段と、
を備え、
前記リモコンは、
前記副制御部から送信された設定情報及び／又は関連情報を記憶する設定情報記憶手段と、
前記設定情報記憶手段に記憶されている予約情報及び／又はＥＰＧ情報を表示部に表示させる表示制御手段と、
前記設定情報記憶手段に記憶された予約情報の変更及び／又はＥＰＧ情報に基づく予約情報の作成をユーザが行うためのユーザ設定手段と、
前記ユーザ設定手段により変更及び／又は作成された予約情報を前記副制御部に送信する第３送信手段と、
を備え、
前記副制御部は、
前記リモコンから送信された予約情報に基づいて前記第２記憶手段に記憶された予約情報を更新する第１更新手段と、
前記主制御部の停止時から計時を開始し、前記第２記憶手段に記憶されている予約情報の予約時間となったか否かを判断する計時手段と、
前記計時手段により、前記予約時間となったと判断された場合に、前記主制御部を起動させる起動制御手段と、
前記主制御部の起動時に、前記第１更新手段により更新された予約情報を前記主制御部に送信する第４送信手段と、
を備え、
前記主制御部は、
前記副制御部から送信された予約情報に基づいて前記第１記憶手段に記憶された予約情報を更新する第２更新手段と、
前記第１記憶手段により記憶されている予約情報に基づいて録画を行う録画制御手段と、
を備えることを特徴とするリモコンシステム。
【請求項２】
電子機器と、前記電子機器を遠隔制御するリモコンと、を備えるリモコンシステムにおいて、
前記電子機器は、
電源がＯＮ状態で起動するとともにスタンバイ状態において停止する主制御部と、
電源がＯＮ状態及びスタンバイ状態において起動する副制御部と、
を備え、
前記主制御部は、
当該主制御部を制御するための所定の設定情報及び／又は設定情報に関連する関連情報を記憶する第１記憶手段と、
当該主制御部が停止する際に、前記第１記憶手段に記憶されている設定情報及び／又は関連情報を前記副制御部に送信する第１送信手段と、
を備え、
前記副制御部は、
前記主制御部から送信された設定情報及び／又は関連情報を記憶する第２記憶手段と、
前記第２記憶手段に記憶された設定情報及び／又は関連情報を所定のタイミングで前記リモコンに送信する第２送信手段と、
を備え、
前記リモコンは、
前記副制御部から送信された設定情報及び／又は関連情報を記憶する設定情報記憶手段と、
前記設定情報記憶手段に記憶された設定情報の変更及び／又は関連情報に基づく設定情報の作成をユーザが行うためのユーザ設定手段と、
前記ユーザ設定手段により変更及び／又は作成された設定情報を前記副制御部に送信する第３送信手段と、
を備え、
前記副制御部は、
前記リモコンから送信された設定情報に基づいて前記第２記憶手段に記憶された設定情報を更新する第１更新手段と、
前記主制御部の起動時に、前記第１更新手段により更新された設定情報を前記主制御部に送信する第４送信手段と、
を備え、
前記主制御部は、
前記副制御部から送信された設定情報に基づいて前記第１記憶手段を更新する第２更新手段を備えることを特徴とするリモコンシステム。
【請求項３】
前記リモコンは、
前記設定情報記憶手段に記憶されている設定情報及び／又は関連情報を表示部に表示させる表示制御手段を備えることを特徴とする請求項２に記載のリモコンシステム。
【発明の詳細な説明】
【技術分野】
【０００１】
本発明は、リモコンシステムに関する。
【背景技術】
【０００２】
近年、テレビジョン放送記録装置本体からリモコンへＥＰＧデータを送信し、リモコンの表示部にＥＰＧを表示させ、ユーザがリモコンの表示部に表示されたＥＰＧを利用して視聴予約又は録画予約設定を行うことができるものが知られている（例えば、特許文献１−３）。
【特許文献１】特開２０００−０５９７０４号公報
【特許文献２】特開２０００−２２４４７３号公報
【特許文献３】特開２０００−０９２３４５号公報
【発明の開示】
【発明が解決しようとする課題】
【０００３】
しかしながら、番組の視聴予約又は録画予約設定を行う場合、テレビジョン放送を視聴することがなくても、テレビジョン放送記録装置の電源を入れて起動を待たなければならず、面倒であるという問題があった。特許文献１−３に記載の発明も、テレビジョン放送記録装置の電源を入れなければ、リモコンにＥＰＧデータを送信することができず、本問題を解決することができない。
【０００４】
本発明の課題は、より利便性の高いリモコンシステムを提供することである。
【課題を解決するための手段】
【０００５】
請求項１に記載の発明は、テレビジョン放送波の番組データを記録するテレビジョン放送記録装置と、前記テレビジョン放送記録装置を遠隔制御するリモコンと、を備えるリモコンシステムにおいて、
前記テレビジョン放送記録装置は、
電源がＯＮ状態で起動するとともにスタンバイ状態において停止する主制御部と、
電源がＯＮ状態及びスタンバイ状態において起動する副制御部と、
を備え、
前記主制御部は、
当該主制御部を制御するための、番組に関する予約情報を含む所定の設定情報、及び／又は、設定情報に関連する情報であってＥＰＧ情報を含む関連情報を記憶する第１記憶手段と、
当該主制御部が停止する際に、前記第１記憶手段に記憶されている設定情報及び／又は関連情報を前記副制御部に送信する第１送信手段と、
を備え、
前記副制御部は、
前記主制御部から送信された設定情報及び／又は関連情報を記憶する第２記憶手段と、
前記第２記憶手段に記憶された設定情報及び／又は関連情報を所定のタイミングで前記リモコンに送信する第２送信手段と、
を備え、
前記リモコンは、
前記副制御部から送信された設定情報及び／又は関連情報を記憶する設定情報記憶手段と、
前記設定情報記憶手段に記憶されている予約情報及び／又はＥＰＧ情報を表示部に表示させる表示制御手段と、
前記設定情報記憶手段に記憶された予約情報の変更及び／又はＥＰＧ情報に基づく予約情報の作成をユーザが行うためのユーザ設定手段と、
前記ユーザ設定手段により変更及び／又は作成された予約情報を前記副制御部に送信する第３送信手段と、
を備え、
前記副制御部は、
前記リモコンから送信された予約情報に基づいて前記第２記憶手段に記憶された予約情報を更新する第１更新手段と、
前記主制御部の停止時から計時を開始し、前記第２記憶手段に記憶されている予約情報の予約時間となったか否かを判断する計時手段と、
前記計時手段により、前記予約時間となったと判断された場合に、前記主制御部を起動させる起動制御手段と、
前記主制御部の起動時に、前記第１更新手段により更新された予約情報を前記主制御部に送信する第４送信手段と、
を備え、
前記主制御部は、
前記副制御部から送信された予約情報に基づいて前記第１記憶手段に記憶された予約情報を更新する第２更新手段と、
前記第１記憶手段により記憶されている予約情報に基づいて録画を行う録画制御手段と、
を備えることを特徴としている。
【０００６】
請求項２に記載の発明は、電子機器と、前記電子機器を遠隔制御するリモコンと、を備えるリモコンシステムにおいて、
前記電子機器は、
電源がＯＮ状態で起動するとともにスタンバイ状態において停止する主制御部と、
電源がＯＮ状態及びスタンバイ状態において起動する副制御部と、
を備え、
前記主制御部は、
当該主制御部を制御するための所定の設定情報及び／又は設定情報に関連する関連情報を記憶する第１記憶手段と、
当該主制御部が停止する際に、前記第１記憶手段に記憶されている設定情報及び／又は関連情報を前記副制御部に送信する第１送信手段と、
を備え、
前記副制御部は、
前記主制御部から送信された設定情報及び／又は関連情報を記憶する第２記憶手段と、
前記第２記憶手段に記憶された設定情報及び／又は関連情報を所定のタイミングで前記リモコンに送信する第２送信手段と、
を備え、
前記リモコンは、
前記副制御部から送信された設定情報及び／又は関連情報を記憶する設定情報記憶手段と、
前記設定情報記憶手段に記憶された設定情報の変更及び／又は関連情報に基づく設定情報の作成をユーザが行うためのユーザ設定手段と、
前記ユーザ設定手段により変更及び／又は作成された設定情報を前記副制御部に送信する第３送信手段と、
を備え、
前記副制御部は、
前記リモコンから送信された設定情報に基づいて前記第２記憶手段に記憶された設定情報を更新する第１更新手段と、
前記主制御部の起動時に、前記第１更新手段により更新された設定情報を前記主制御部に送信する第４送信手段と、
を備え、
前記主制御部は、
前記副制御部から送信された設定情報に基づいて前記第１記憶手段を更新する第２更新手段を備えることを特徴としている。
【０００７】
請求項３に記載の発明は、請求項２に記載のリモコンシステムにおいて、
前記リモコンは、
前記設定情報記憶手段に記憶されている設定情報及び／又は関連情報を表示部に表示させる表示制御手段を備えることを特徴としている。
【発明の効果】
【０００８】
請求項１に記載の発明によれば、テレビジョン放送記録装置は、電源がＯＮ状態で起動するとともにスタンバイ状態において停止する主制御部と、電源がＯＮ状態及びスタンバイ状態において起動する副制御部と、を備え、主制御部において、第１記憶手段により、当該主制御部を制御するための、番組に関する予約情報を含む所定の設定情報、及び／又は、設定情報に関連する情報であってＥＰＧ情報を含む関連情報が記憶され、第１送信手段により、当該主制御部が停止する際に、第１記憶手段に記憶されている設定情報及び／又は関連情報が副制御部に送信され、副制御部において、第２記憶手段により、主制御部から送信された設定情報及び／又は関連情報が記憶され、第２送信手段により、第２記憶手段に記憶された設定情報及び／又は関連情報が所定のタイミングでリモコンに送信され、リモコンにおいて、設定情報記憶手段により、副制御部から送信された設定情報及び／又は関連情報が記憶され、ユーザ設定手段により、ユーザによる、設定情報記憶手段に記憶された予約情報の変更及び／又はＥＰＧ情報に基づく予約情報の作成が行われ、第３送信手段により、ユーザ設定手段によって変更及び／又は作成された予約情報が副制御部に送信され、副制御部において、第１更新手段により、リモコンから送信された予約情報に基づいて第２記憶手段に記憶された予約情報が更新され、計時手段により、主制御部の停止時から計時が開始され、第２記憶手段に記憶されている予約情報の予約時間となったか否かが判断され、起動制御手段により、計時手段によって、予約時間となったと判断された場合に、主制御部が起動され、第４送信手段により、主制御部の起動時に、第１更新手段により更新された予約情報が主制御部に送信され、主制御部において、第２更新手段により、副制御部から送信された予約情報に基づいて第１記憶手段に記憶された予約情報が更新され、録画制御手段により、第１記憶手段により記憶されている予約情報に基づいて録画が行われるので、主制御部が停止したスタンバイ状態においても、リモコンにおいて予約情報の変更及び／又はＥＰＧ情報に基づく予約情報の作成を行うことができるとともに、予約時間となった場合には、自動的に主制御部が起動されて録画が行われるので、より利便性の高いリモコンシステムを提供することができる。
【０００９】
また、リモコンにおいて、表示制御手段により、設定情報記憶手段に記憶されている予約情報及び／又はＥＰＧ情報が表示部に表示されるので、ユーザは、表示部に表示された予約情報及び／又はＥＰＧ情報を視認しながら、予約情報の変更及び／又は作成を行うことができることとなって、さらに、使い勝手の良いリモコンシステムを提供することができる。
【００１０】
請求項２に記載の発明によれば、電子機器は、電源がＯＮ状態で起動するとともにスタンバイ状態において停止する主制御部と、電源がＯＮ状態及びスタンバイ状態において起動する副制御部と、を備え、主制御部において、第１記憶手段により、当該主制御部を制御するための所定の設定情報及び／又は設定情報に関連する関連情報が記憶され、第１送信手段により、当該主制御部が停止する際に、第１記憶手段に記憶されている設定情報及び／又は関連情報が副制御部に送信され、副制御部において、第２記憶手段により、主制御部から送信された設定情報及び／又は関連情報が記憶され、第２送信手段により、第２記憶手段に記憶された設定情報及び／又は関連情報が所定のタイミングでリモコンに送信され、リモコンにおいて、設定情報記憶手段により、副制御部から送信された設定情報及び／又は関連情報が記憶され、ユーザ設定手段により、ユーザによる、設定情報記憶手段に記憶された設定情報の変更及び／又は関連情報に基づく設定情報の作成が行われ、第３送信手段により、ユーザ設定手段によって変更及び／又は作成された設定情報が副制御部に送信され、副制御部において、第１更新手段により、リモコンから送信された設定情報に基づいて第２記憶手段に記憶された設定情報が更新され、第４送信手段により、主制御部の起動時に、第１更新手段により更新された設定情報が主制御部に送信され、主制御部において、第２更新手段により、副制御部から送信された設定情報に基づいて第１記憶手段が更新されるので、主制御部が停止したスタンバイ状態においても、リモコンにおいて設定情報の変更及び／又は関連情報に基づく設定情報の作成を行うことができ、より利便性の高いリモコンシステムを提供することができる。
【００１１】
請求項３に記載の発明によれば、請求項２に記載の発明と同様の効果が得られることは勿論のこと、特に、リモコンにおいて、表示制御手段により、設定情報記憶手段に記憶されている設定情報及び／又は関連情報が表示部に表示されるので、ユーザは、表示部に表示された設定情報及び／又は関連情報を視認しながら、設定情報の変更及び／又は作成を行うことができることとなって、さらに、使い勝手の良いリモコンシステムを提供することができる。
【発明を実施するための最良の形態】
【００１２】
以下、図を参照して、本発明に係るリモコンシステムを実施するための最良の形態を詳細に説明する。
【００１３】
まず、本発明に係るリモコンシステム１００の構成について図１を参照しながら説明する。本実施形態に係るリモコンシステム１００は、例えば、図１に示すように、テレビジョン放送波により送信される番組データを記録するテレビジョン放送記録装置（電子機器）１、当該テレビジョン放送記録装置１を遠隔制御するリモコン２等を備えて構成されている。
【００１４】
テレビジョン放送記録装置１は、例えば、図１，図２に示すように、アンテナ３，チューナ部４，復調部５，デコーダ６，音出力部７，表示部８，エンコーダ９，ＨＤＤ（Hard  Disc  Drive）１０，電源回路１１，送信部１２，受信部１３，計時部１４，メインマイコン（主制御部）１５，サブマイコン（副制御部）１６等を備えて構成されている。
【００１５】
アンテナ３は、例えば、パラボラアンテナやＵＨＦアンテナ等であり、地上波アナログ放送，地上波デジタル放送，ＢＳ・ＣＳ放送等のテレビジョン放送信号を含むテレビジョン放送波を受信し、地上波アナログ信号，地上波デジタル信号，ＢＳ・ＣＳ放送信号等のＲＦ信号をチューナ部４に出力する。なお、ＣＡＴＶ回線を介してテレビジョン放送波を受信する場合には、接続ケーブル（図示省略）等が備えられてもよい。
【００１６】
チューナ部４は、ミキサ（図示省略），選局回路（図示省略），Ａ／Ｄ変換回路（図示省略）等を備えて構成され、ミキサ，選局回路等により、アンテナ３から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００１７】
復調部５は、例えば、チューナ部４から入力されるデジタルデータに復調処理等を行って、デコーダ６に出力する。
【００１８】
デコーダ６は、例えば、復調部５から入力されるデジタルデータに復号処理等を行って番組の映像音声データ（映像データ及び音声データ）を生成する。
【００１９】
音出力部７は、例えば、スピーカ等を備えて構成され、デコーダ６から出力される音声データに基づく音声を出力する。
【００２０】
表示部８は、例えば、ＬＣＤ（Liquid  Crystal  Display）やＰＤＰ（Plasma  Display  Panel）等を備えて構成され、デコーダ６から出力される映像データに基づく映像を表示する。
【００２１】
エンコーダ９は、例えば、デコーダ６から出力される映像音声データに符号化処理を行ってＨＤＤ１０へ出力する。
【００２２】
ＨＤＤ１０は、例えば、エンコーダ９から出力される映像音声データを記憶する。
【００２３】
電源回路１１は、例えば、電源Ｄ及びメインマイコン１５，サブマイコン１６と接続され、電源Ｄからメインマイコン１５及びサブマイコン１６への通電を制御する。
【００２４】
送信部１２は、例えば、発光ダイオード（図示省略）等を備えて構成され、サブマイコン１６により制御されることにより、設定情報（例えば、予約情報）及び関連情報（例えば、ＥＰＧ情報）を赤外線信号に変換してリモコン２に送信する。
【００２５】
受信部１３は、例えば、受信回路（図示省略）等を備えて構成され、サブマイコン１６により制御されることにより、リモコン２から送信された各種操作信号及び設定情報に基づく赤外線信号を電気信号に変換して受信する。
【００２６】
計時部１４は、例えば、計時回路（図示省略）等を備えて構成され、サブマイコン１６により制御されることにより、メインマイコン１５の停止時から計時を開始する。
【００２７】
メインマイコン１５は、例えば、図２に示すように、ＣＰＵ（Central  Processing  Unit）１５１，ＲＡＭ（Random  Access  Memory）１５２，記憶部１５３等を備えて構成され、電源ＤがＯＮ状態で起動するとともに、電源Ｄがスタンバイ状態において、停止するようになっている。
【００２８】
ＣＰＵ１５１は、例えば、記憶部１５３に格納された処理プログラム等を読み出して、ＲＡＭ１５２に展開して実行することにより、テレビジョン放送記録装置１全体の制御を行う。
【００２９】
ＲＡＭ１５２は、ＣＰＵ１５１により実行された処理プログラム等を、ＲＡＭ１５２内のプログラム格納領域に展開するとともに、入力データや上記処理プログラムが実行される際に生じる処理結果等をデータ格納領域に格納する。
【００３０】
記憶部１５３は、例えば、プログラムやデータ等が予め記憶されている記録媒体（図示せず）を有しており、この記録媒体は、例えば、半導体メモリ等で構成されている。また、記憶部１５３は、ＣＰＵ１５１がテレビジョン放送記録装置１全体を制御する機能を実現させるための各種データ，各種処理プログラム，これらプログラムの実行により処理されたデータ等を記憶する。より具体的には、記憶部１５３は、例えば、図２に示すように、設定データファイル１５３Ａ，送受信プログラム１５３Ｂ，更新プログラム１５３Ｃ，録画プログラム１５３Ｄ等を格納している。
【００３１】
設定データファイル１５３Ａは、例えば、当該テレビジョン放送記録装置１のメインマイコン１５を制御するための、番組に関する予約情報を含む所定の設定情報、及び、ＥＰＧ情報を含む設定情報に関連する関連情報を記憶している。
ここで、予約情報とは、当該テレビジョン放送記録装置１に設定されている番組の視聴予約及び録画予約に関する情報である。また、設定情報には、予約情報の他に、例えば、字幕を表示するか否かについての情報、音声切替に関する情報等が含まれる。
また、設定情報に関連する関連情報とは、設定情報を作成するために必要な情報をいい、例えば、予約情報を作成する場合のＥＰＧ情報が該当する。
記憶部１５３は、かかる設定データファイル１５３Ａを格納することにより、第１記憶手段として機能する。
【００３２】
送受信プログラム１５３Ｂは、例えば、ＣＰＵ１５１に、メインマイコン１５が停止する際に、設定データファイル１５３Ａに記憶されている設定情報（例えば、予約情報）及び関連情報（例えば、ＥＰＧ情報）をサブマイコン１６に送信する機能を実現させるプログラムである。より具体的には、送受信プログラム１５３Ｂは、例えば、ＣＰＵ１５１に、サブマイコン１６から送信される電源ＯＦＦ信号及び情報要求信号を受信した場合に、設定データファイル１５３Ａに記憶されている設定情報及び関連情報をサブマイコン１６に送信する機能を実現させるプログラムである。ＣＰＵ１５１は、かかる送受信プログラム１５３Ｂを実行することにより、第１送信手段として機能する。
【００３３】
更新プログラム１５３Ｃは、例えば、ＣＰＵ１５１に、サブマイコン１６から送信された設定情報に基づいて、設定データファイル１５３Ａに記憶されている設定情報を更新する機能を実現させるプログラムである。ＣＰＵ１５１は、かかる更新プログラム１５３Ｃを実行することにより、第２更新手段として機能する。
【００３４】
録画プログラム１５３Ｄは、例えば、ＣＰＵ１５１に、設定データファイル１５３Ａに記憶されている予約情報に基づいて、番組データをＨＤＤ１０に記憶させることにより、録画を行う機能を実現させるプログラムである。ＣＰＵ１５１は、かかる録画プログラム１５３Ｄを実行することにより、録画手段として機能する。
【００３５】
サブマイコン１６は、例えば、図２に示すように、ＣＰＵ１６１，ＲＡＭ１６２，記憶部１６３等を備えて構成され、電源ＤがＯＮ状態及びスタンバイ状態において、起動するようになっている。
【００３６】
ＣＰＵ１６１は、例えば、記憶部１６３に格納された処理プログラム等を読み出して、ＲＡＭ１６２に展開して実行することにより、リモコン２とメインマイコン１５との間の通信を制御するとともに、メインマイコン１５が停止している際のテレビジョン放送記録装置１を制御する。
【００３７】
ＲＡＭ１６２は、ＣＰＵ１６１により実行された処理プログラム等を、ＲＡＭ１６２内のプログラム格納領域に展開するとともに、入力データや上記処理プログラムが実行される際に生じる処理結果等をデータ格納領域に格納する。
【００３８】
記憶部１６３は、例えば、プログラムやデータ等が予め記憶されている記録媒体（図示せず）を有しており、この記録媒体は、例えば、半導体メモリ等で構成されている。また、記憶部１６３は、ＣＰＵ１６１がリモコン２とメインマイコン１５との間の通信を制御するとともに、メインマイコン１５が停止している際のテレビジョン放送記録装置１を制御する機能を実現させるための各種データ，各種処理プログラム，これらプログラムの実行により処理されたデータ等を記憶する。より具体的には、記憶部１６３は、例えば、図２に示すように、本体データファイル１６３Ａ，送受信プログラム１６３Ｂ，電源切替プログラム１６３Ｃ，更新プログラム１６３Ｄ，計時プログラム１６３Ｅ等を格納している。
【００３９】
本体データファイル１６３Ａは、例えば、メインマイコン１５が停止する際に、当該メインマイコン１５から送信された設定情報及び関連情報を記憶している。記憶部１６３は、かかる本体データファイル１６３Ａを格納することにより、第２記憶手段として機能する。
【００４０】
送受信プログラム１６３Ｂは、例えば、ＣＰＵ１６１に、受信部１３を制御して、リモコン２から送信される各種操作信号及び設定情報を受信させ、当該各種操作信号及び設定情報をメインマイコン１５に送信する機能、及び、メインマイコン１５から送信される設定情報及び関連情報を受信し、送信部１２を制御して、当該設定情報及び関連情報をリモコン２に送信させる機能を実現させるプログラムである。
具体的には、送受信プログラム１６３Ｂは、例えば、ＣＰＵ１６１に、メインマイコン１５が停止する際に、当該メインマイコン１５から送信された設定情報及び関連情報を受信する機能を実現させるプログラムである。より具体的には、リモコン２から送信される電源ＯＦＦ信号を受信した場合に、当該電源ＯＦＦ信号及び情報要求信号をメインマイコン１５に送信し、メインマイコン１５から送信された設定情報及び関連情報を受信する機能を実現させるプログラムである。
また、送受信プログラム１６３Ｂは、例えば、ＣＰＵ１６１に、送信部１２を制御して、本体データファイル１６３Ａに記憶された設定情報及び関連情報を所定のタイミングでリモコン２に送信させる機能を実現させるプログラムである。より具体的には、送受信プログラム１６３Ｂは、ＣＰＵ１６１に、例えば、リモコン２から送信された情報要求信号を受信した場合に、送信部１２を制御して、本体データファイル１６３Ａに記憶された設定情報及び関連情報をリモコン２に送信させる機能を実現させるプログラムである。ＣＰＵ１６１は、かかる本体データファイル１６３Ａを実行することにより、第２送信手段として機能する。
また、送受信プログラム１６３Ｂは、例えば、ＣＰＵ１６１に、メインマイコン１５の起動時に、更新プログラム１６３Ｄを実行することにより更新した設定情報をメインマイコン１５に送信する機能を実現させるプログラムである。ＣＰＵ１６１は、かかる送受信プログラム１６３Ｂを実行することにより、第４送信手段として機能する。
【００４１】
電源切替プログラム１６３Ｃは、例えば、ＣＰＵ１６１に、リモコン２から送信される電源ＯＮ信号を受信した場合に、電源回路１１にメインマイコン１５への通電を開始させる機能を実現させるプログラムである。
また、電源切替プログラム１６３Ｃは、例えば、ＣＰＵ１６１に、計時プログラム１６３Ｅを実行することにより、本体データファイル１６３Ａに記憶されている予約情報の予約時間となったと判断した場合に、電源回路１１にメインマイコン１５への通電を開始させる機能を実現させるプログラムである。より具体的には、電源切替プログラム１６３Ｃは、例えば、ＣＰＵ１６１に、計時プログラム１６３Ｅを実行することにより、予約時間の所定時間前となったと判断した場合に、電源回路１１にメインマイコン１５への通電を開始させる機能を実現させるプログラムである。
ＣＰＵ１６１は、かかる電源切替プログラム１６３Ｃを実行することにより、起動制御手段として機能する。
【００４２】
更新プログラム１６３Ｄは、例えば、ＣＰＵ１６１に、リモコン２から送信された設定情報に基づいて、本体データファイル１６３Ａに記憶されている設定情報を更新する機能を実現させるプログラムである。ＣＰＵ１６１は、かかる更新プログラム１６３Ｄを実行することにより、第１更新手段として機能する。
【００４３】
計時プログラム１６３Ｅは、例えば、ＣＰＵ１６１に、計時部１４を制御して、メインマイコン１５の停止時から計時を開始させ、本体データファイル１６３Ａに記憶されている予約情報の予約時間となったか否かを判断する機能を実現させるプログラムである。ＣＰＵ１６１は、かかる計時プログラム１６３Ｅを実行することにより、計時手段として機能する。
【００４４】
リモコン２は、例えば、図３に示すように、送信部２１，受信部２２，表示部２３，操作部２４，リモコン制御部２５等を備えて構成されている。
【００４５】
送信部２１は、例えば、発光ダイオード（図示省略）等を備えて構成され、リモコン制御部２５により制御されることにより、各種操作信号及び設定情報を赤外線信号に変換してテレビジョン放送記録装置１に送信する。
【００４６】
受信部２２は、例えば、受信回路（図示省略）等を備えて構成され、リモコン制御部２５により制御されることにより、テレビジョン放送記録装置１から送信された設定情報及び関連情報に基づく赤外線信号を電気信号に変換して受信する。
【００４７】
表示部２３は、例えば、ＬＣＤ等を備えて構成され、リモコン制御部２５から制御されることにより、本体データファイル２５３Ａ（後述）に記憶されている設定情報及び関連情報を表示する。より具体的には、表示部２３は、本体データファイル２５３Ａに記憶されている予約情報，設定情報，ＥＰＧを表示する。表示部２３は、例えば、ＬＣＤとともに、感圧式或いは接触式のタッチパネル等を備えて構成されてもよい。
【００４８】
操作部２４は、例えば、各種の操作信号を入力するための各種のキー等を備え、ユーザにより操作されることによって、各種の操作信号を送信部２１を介してテレビジョン放送記録装置１に送信する。
また、操作部２４は、例えば、ユーザにより操作されることによって、本体データファイル２５３Ａに記憶されている設定情報の変更及び／又は関連情報に基づく設定情報の作成を行う操作信号をリモコン制御部２５に出力する。
また、操作部２４は、例えば、ユーザが操作することにより、設定情報の変更及び／又は関連情報に基づく設定情報の作成を行うための各種キーを備えて構成され、ユーザ設定手段として機能する。
【００４９】
リモコン制御部２５は、例えば、図３に示すように、ＣＰＵ２５１，ＲＡＭ２５２，記憶部２５３等を備えて構成されている。
【００５０】
ＣＰＵ２５１は、例えば、記憶部２５３に格納された処理プログラム等を読み出して、ＲＡＭ２５２に展開して実行することにより、リモコン２全体を制御する。
【００５１】
ＲＡＭ２５２は、ＣＰＵ２５１により実行された処理プログラム等を、ＲＡＭ２５２内のプログラム格納領域に展開するとともに、入力データや上記処理プログラムが実行される際に生じる処理結果等をデータ格納領域に格納する。
【００５２】
記憶部２５３は、例えば、プログラムやデータ等が予め記憶されている記録媒体（図示せず）を有しており、この記録媒体は、例えば、半導体メモリ等で構成されている。また、記憶部２５３は、ＣＰＵ２５１がリモコン２全体を制御する機能を実現させるための各種データ，各種処理プログラム，これらプログラムの実行により処理されたデータ等を記憶する。より具体的には、記憶部２５３は、例えば、図３に示すように、本体データファイル２５３Ａ，送受信プログラム２５３Ｂ，表示制御プログラム２５３Ｃ，変更作成プログラム２５３Ｄ等を格納している。
【００５３】
本体データファイル２５３Ａは、例えば、サブマイコン１６から送信された設定情報及び関連情報を記憶している。記憶部２５３は、かかる本体データファイル２５３Ａを格納することにより、設定情報記憶手段として機能する。
【００５４】
送受信プログラム２５３Ｂは、例えば、ＣＰＵ２５１に、受信部２２を制御して、サブマイコン１６から送信された設定情報及び関連情報を受信させる機能を実現させるプログラムである。具体的には、送受信プログラム２５３Ｂは、ＣＰＵ２５１に、例えば、操作部２４がユーザにより操作されることによって、設定情報の変更及び／又は作成を行う操作信号が入力された場合に、送信部２１を制御して、情報要求信号をサブマイコン１６に送信させ、受信部２２を制御して、サブマイコン１６から送信される設定情報及び関連情報を受信させる機能を実現させるプログラムである。
また、送受信プログラム２５３Ｂは、例えば、ＣＰＵ２５１に、送信部２１を制御して、操作部２４がユーザにより操作されることにより変更及び／又は作成された設定情報，各種操作信号をサブマイコン１６に送信させる機能を実現させるプログラムである。
ＣＰＵ２５１は、かかる送受信プログラム２５３Ｂを実行することにより、第３送信手段として機能する。
【００５５】
表示制御プログラム２５３Ｃは、例えば、ＣＰＵ２５１に、本体データファイル２５３Ａに記憶されている設定情報及び関連情報を表示部２３に表示させる機能を実現させるプログラムである。より具体的には、表示制御プログラム２５３Ｃは、ＣＰＵ２５１に、例えば、サブマイコン１６から設定情報及び関連情報が送信された場合に、当該設定情報及び関連情報を表示部２３に表示させる機能を実現させるプログラムである。ＣＰＵ２５１は、かかる表示制御プログラム２５３Ｃを実行することにより表示制御手段として機能する。
【００５６】
変更作成プログラム２５３Ｄは、例えば、ＣＰＵ２５１に、ユーザによって操作部２４が操作されることにより入力される操作信号に従って、設定情報の変更、関連情報に基づく設定情報の作成を行う機能を実現させるプログラムである。
具体的には、変更作成プログラム２５３Ｄは、ＣＰＵ２５１に、例えば、操作部２４から入力された予約情報を変更する操作信号、及び／又は、表示部２３に表示されたＥＰＧにおいて番組を指定し、当該番組を録画予約或いは視聴予約する操作信号等に従って、予約情報を変更、及び／又は、予約情報を作成する機能を実現させるプログラムである。
ＣＰＵ２５１は、かかる変更作成プログラム２５３Ｄを実行することにより、操作部２４とともに、ユーザ設定手段として機能する。
【００５７】
次に、上述のような構成のリモコンシステム１００の電源ＯＦＦ動作について図４に示すフローチャートを参照しながら説明する。
まず、リモコン２の操作部２４がユーザにより操作されることにより、リモコン制御部２５に電源ＯＦＦの操作信号が入力されると（ステップＳ１）、ＣＰＵ２５１は、送受信プログラム２５３Ｂを実行することにより、送信部２１を制御して、電源ＯＦＦ信号をサブマイコン１６へ送信させる（ステップＳ２）。
【００５８】
次に、サブマイコン１６の受信部１３がリモコン２から送信された電源ＯＦＦ信号を受信すると（ステップＳ３）、ＣＰＵ１６１は、送受信プログラム１６３Ｂを実行することにより、電源ＯＦＦ信号及び情報要求信号をメインマイコン１５に送信する（ステップＳ４）。
【００５９】
次に、メインマイコン１５がサブマイコン１６から送信された電源ＯＦＦ信号及び情報要求信号を受信すると（ステップＳ５）、ＣＰＵ１５１は、送受信プログラム１５３Ｂを実行することにより、設定データファイル１５３Ａに記憶されている予約情報（設定情報）及びＥＰＧ情報（関連情報）をサブマイコン１６に送信した後（ステップＳ６）、電源回路１１に電源Ｄによる当該メインマイコン１５への通電を停止させることにより、当該メインマイコン１５を停止させる（ステップＳ７）。
【００６０】
一方、サブマイコン１６がメインマイコン１５から送信された予約情報及びＥＰＧ情報を受信すると（ステップＳ８）、ＣＰＵ１６１は、当該予約情報及びＥＰＧ情報を本体データファイル１６３Ａに記憶させ（ステップＳ９）、本処理を終了する。
【００６１】
次に、本実施形態に係るリモコンシステム１００のスタンバイ状態における録画予約動作について、図５に示すフローチャートを参照しながら説明する。
まず、リモコン２の操作部２４がユーザにより操作されることにより、予約情報の変更及び／又は作成を行う操作信号が入力された場合に、ＣＰＵ２５１は、送受信プログラム２５３Ｂを実行することにより、送信部２１を制御して、情報要求信号をサブマイコン１６に送信させる（ステップＳ１０１）。
【００６２】
次に、サブマイコン１６が、リモコン２から送信された情報要求信号を受信すると（ステップＳ１０２）、ＣＰＵ１６１は、送受信プログラム１６３Ｂを実行することにより、送信部１２を制御して、本体データファイル１６３Ａに記憶された予約情報及びＥＰＧ情報をリモコン２に送信させる（ステップＳ１０３）。
【００６３】
次に、リモコン２が、サブマイコン１６から送信された予約情報及びＥＰＧ情報を受信すると（ステップＳ１０４）、ＣＰＵ２５１は、表示制御プログラム２５３Ｃを実行することにより、表示部２３に、受信した予約情報及びＥＰＧ情報を表示させる（ステップＳ１０５）。
【００６４】
次に、ＣＰＵ２５１が変更作成プログラム２５３Ｄを実行することにより、ユーザが操作部２４を操作することによって入力される操作信号に従って、予約情報が変更及び／又はＥＰＧ情報に基づいて予約情報が作成されると（ステップＳ１０６）、ＣＰＵ２５１は、送受信プログラム２５３Ｂを実行することにより、送信部２１を制御して、変更及び／又は作成された予約情報をサブマイコン１６へ送信させる（ステップＳ１０７）。
【００６５】
次に、サブマイコン１６が、リモコン２から送信された、変更及び／又は作成された予約情報を受信すると（ステップＳ１０８）、ＣＰＵ１６１は、更新プログラム１６３Ｄを実行することにより、本体データファイル１６３Ａに記憶されている予約情報を更新する（ステップＳ１０９）。
【００６６】
次に、ＣＰＵ１６１は、計時プログラム１６３Ｅを実行することにより、計時部１４によって計時された時間に基づいて、本体データファイル１６３Ａに記憶されている予約情報の予約時間の所定時間前となったか否かを判断する（ステップＳ１１０）
【００６７】
ステップＳ１１０において、ＣＰＵ１６１が、予約時間の所定時間前となっていないと判断した場合には（ステップＳ１１０；Ｎｏ）、ステップＳ１１０の処理を繰り返す。
ステップＳ１１０において、ＣＰＵ１６１が、予約時間の所定時間前となったと判断した場合には（ステップＳ１１０；Ｙｅｓ）、ＣＰＵ１６１は、電源切替プログラム１６３Ｃを実行することにより、電源回路１１を制御して、電源Ｄによるメインマイコン１５への通電を開始させる（ステップＳ１１１）。
【００６８】
次に、電源Ｄから通電が開始されたメインマイコン１５が起動すると（ステップＳ１１２）、ＣＰＵ１６１は、送受信プログラム１６３Ｂを実行することにより、ステップＳ１０９において更新された予約情報をメインマイコン１５に送信する（ステップＳ１１３）。
【００６９】
次に、メインマイコン１５がサブマイコン１６において更新された予約情報を受信すると（ステップＳ１１４）、ＣＰＵ１５１は、更新プログラム１５３Ｃを実行することにより、ステップＳ１１４において受信した予約情報に基づいて、設定データファイル１５３Ａに記憶されている予約情報を更新するとともに、録画プログラム１５３Ｄを実行することにより、設定データファイル１５３Ａに記憶されている予約情報に基づいて、テレビジョン放送の番組データをＨＤＤ１０に録画させ（ステップＳ１１５）、本処理を終了する。
【００７０】
なお、本実施形態に係るリモコンシステム１００のスタンバイ状態における設定情報の変更／作成動作は、図５に示すフローチャートのステップＳ１０１〜Ｓ１０９と同様の処理において行われる。
【００７１】
次に、本実施形態に係るリモコンシステム１００の電源ＯＮ時における予約情報の更新動作を図６に示すフローチャートを参照しながら説明する。
まず、リモコン２の操作部２４がユーザにより操作されることにより、リモコン制御部２５に電源ＯＮの操作信号が入力されると（ステップＳ２０１）、ＣＰＵ２５１は、送受信プログラム２５３Ｂを実行することにより、送信部２１を制御して、電源ＯＮ信号をサブマイコン１６へ送信させる（ステップＳ２０２）。
【００７２】
次に、サブマイコン１６の受信部１３がリモコン２から送信された電源ＯＮ信号を受信すると（ステップＳ２０３）、ＣＰＵ１６１は、電源切替プログラム１６３Ｃを実行することにより、電源回路１１を制御して、電源Ｄによるメインマイコン１５への通電を開始させる（ステップＳ２０４）。
【００７３】
次に、電源Ｄから通電が開始されたメインマイコン１５が起動すると（ステップＳ２０５）、ＣＰＵ１６１は、送受信プログラム１６３Ｂを実行することにより、本体データファイル１６３Ａに記憶されている予約情報をメインマイコン１５に送信する（ステップＳ２０６）。
【００７４】
次に、メインマイコン１５がサブマイコン１６から送信された予約情報を受信すると（ステップＳ２０７）、ＣＰＵ１５１は、更新プログラム１５３Ｃを実行することにより、ステップＳ２０７において受信した予約情報に基づいて、設定データファイル１５３Ａに記憶されている予約情報を更新し（ステップＳ２０８）、本処理を終了する。
【００７５】
以上に説明した本発明の実施形態に係るリモコンシステム１００によれば、テレビジョン放送記録装置１は、電源ＤがＯＮ状態で起動するとともにスタンバイ状態において停止するメインマイコン１５と、電源ＤがＯＮ状態及びスタンバイ状態において起動するサブマイコン１６と、を備え、メインマイコン１５において、設定データファイル１５３Ａにより、当該メインマイコン１５を制御するための、番組に関する予約情報を含む所定の設定情報、及び／又は、設定情報に関連する情報であってＥＰＧ情報を含む関連情報が記憶され、ＣＰＵ１５１が送受信プログラム１５３Ｂを実行することにより、当該メインマイコン１５が停止する際に、設定データファイル１５３Ａに記憶されている設定情報及び／又は関連情報がサブマイコン１６に送信され、サブマイコン１６において、本体データファイル１６３Ａにより、メインマイコン１５から送信された設定情報及び／又は関連情報が記憶され、ＣＰＵ１６１が送受信プログラム１６３Ｂを実行することにより、本体データファイル１６３Ａに記憶された設定情報及び／又は関連情報が所定のタイミングでリモコン２に送信され、リモコン２において、本体データファイル２５３Ａにより、サブマイコン１６から送信された設定情報及び／又は関連情報が記憶され、ＣＰＵ２５１が変更作成プログラム２５３Ｄを実行することにより、操作部２４がユーザによって操作されることによって入力される操作信号に従って、本体データファイル２５３Ａに記憶された予約情報の変更及び／又はＥＰＧ情報に基づく予約情報の作成が行われ、ＣＰＵ２５１が送受信プログラム２５３Ｂを実行することにより、ユーザが操作部２４を操作することによって変更及び／又は作成された予約情報がサブマイコン１６に送信され、サブマイコン１６において、ＣＰＵ１６１が更新プログラム１６３Ｄを実行することにより、リモコン２から送信された予約情報に基づいて本体データファイル１６３Ａに記憶された予約情報が更新され、ＣＰＵ１６１が計時プログラム１６３Ｅを実行することにより、メインマイコン１５の停止時から計時が開始され、本体データファイル１６３Ａに記憶されている予約情報の予約時間となったか否かが判断され、ＣＰＵ１６１が電源切替プログラム１６３Ｃを実行することにより、計時プログラム１６３Ｅを実行することによって、予約時間となったと判断された場合に、メインマイコン１５が起動され、ＣＰＵ１６１が送受信プログラム１６３Ｂを実行することにより、メインマイコン１５の起動時に、更新プログラム１６３Ｄを実行することにより更新された予約情報がメインマイコン１５に送信され、メインマイコン１５において、ＣＰＵ１５１が更新プログラム１５３Ｃを実行することにより、サブマイコン１６から送信された予約情報に基づいて設定データファイル１５３Ａに記憶された予約情報が更新され、ＣＰＵ１５１が録画プログラム１５３Ｄを実行することにより、設定データファイル１５３Ａにより記憶されている予約情報に基づいて録画が行われるので、メインマイコン１５が停止したスタンバイ状態においても、リモコン２において予約情報の変更及び／又はＥＰＧ情報に基づく予約情報の作成を行うことができるとともに、予約時間となった場合には、自動的にメインマイコン１５が起動されて録画が行われるので、より利便性の高いリモコンシステム１００を提供することができる。
【００７６】
また、リモコン２において、ＣＰＵ２５１が表示制御プログラム２５３Ｃを実行することにより、本体データファイル２５３Ａに記憶されている予約情報及び／又はＥＰＧ情報が表示部２３に表示されるので、ユーザは、表示部２３に表示された予約情報及び／又はＥＰＧ情報を視認しながら、予約情報の変更及び／又は作成を行うことができることとなって、さらに、使い勝手の良いリモコンシステムを提供することができる。
【００７７】
なお、テレビジョン放送記録装置１の電源Ｄがスタンバイ状態となる際に、テレビジョン放送記録装置１の設定情報及び関連情報がリモコン２に直接送信され、リモコン２において変更及び／又は作成された設定情報がテレビジョン放送記録装置１の起動時に送信されるように構成してもよい。
また、本発明の電子機器は、本実施形態において例示したテレビジョン放送記録装置１に限定されるものではなく、リモコン２により設定状態が変更及び／又は作成されるものであれば何であってもよく、例えば、テレビジョン放送受信装置であってもよい。
【図面の簡単な説明】
【００７８】
【図１】本発明に係るリモコンシステムの概略構成を示す図である。
【図２】本発明に係るテレビジョン放送記録装置の構成を示すブロック図である。
【図３】本発明に係るリモコンの構成を示すブロック図である。
【図４】本発明に係るリモコンシステムの電源ＯＦＦ動作の一例を説明するフローチャートである。
【図５】本発明に係るリモコンシステムのスタンバイ状態における録画予約動作の一例を説明するフローチャートである。
【図６】本発明に係るリモコンシステムの電源ＯＮ時における設定情報の更新動作の一例を説明するフローチャートである。
【符号の説明】
【００７９】
１  テレビジョン放送記録装置（電子機器）
１５  メインマイコン（主制御部）
１５１  ＣＰＵ（第１送信手段，第２更新手段，録画制御手段）
１５３  記憶部（第１記憶手段）
１５３Ａ  設定データファイル（第１記憶手段）
１５３Ｂ  送受信プログラム（第１送信手段）
１５３Ｂ  更新プログラム（第２更新手段）
１５３Ｄ  録画プログラム（録画制御手段）
１６  サブマイコン（副制御部）
１６１  ＣＰＵ（第２送信手段，第４送信手段，起動制御手段，第１更新手段，計時手段）
１６３  記憶部（第２記憶手段）
１６３Ａ  本体データファイル（第２記憶手段）
１６３Ｂ  送受信プログラム（第２送信手段，第４送信手段）
１６３Ｃ  電源切替プログラム（起動制御手段）
１６３Ｄ  更新プログラム（第１更新手段）
１６３Ｅ  計時プログラム（計時手段）
２  リモコン
２３  表示部
２４  操作部（ユーザ設定手段）
２５１  ＣＰＵ（第３送信手段，表示制御手段）
２５３  記憶部（設定情報記憶手段）
２５３Ａ  本体データファイル（設定情報記憶手段）
２５３Ｂ  送受信プログラム（第３送信手段）
２５３Ｃ  表示制御プログラム（表示制御手段）
２５３Ｄ  変更作成プログラム（ユーザ設定手段）
１００  リモコンシステム
【図１】
2008167007.tif 000003
【図２】
2008167007.tif 000004
【図３】
2008167007.tif 000005
【図４】
2008167007.tif 000006
【図５】
2008167007.tif 000007
【図６】
2008167007.tif 000008